(57)【要約】　　　（修正有）【課題】従来の水洗洋式便器についてはロータンク用のオーバフロー管が取付されているが、便器本体のオーバフローが防止出来ないことから、紙詰まり等によりトイレ内に汚水が溢出する課題が生じていた。【解決手段】本発明は、水洗洋式便器本体８にオーバフロー用の排水口を設け、接続するオーバフロー管にＳトラップ５を取付けることで、悪臭の発生を防ぎ、また便器座面より溢れる汚水をオーバフロー管によって汚水管へ処理する構成により、課題を解決することができた。加えて取付けも安価であり且つ、加工組立による工法のため工期も短縮でき既存トイレについても１日で施工出来、経常的な維持管理費は伴わない。従って汚水の溢出防止によって、自立型支援用としてまた、介護用として充分に使用できることを特徴としている。【選択図】図２
2004084443.tif 000002
【特許請求の範囲】
【請求項１】
このトイレは軽量アングルを使用した骨組とし、外周は化粧パネルで隠蔽し、水洗洋式便器本体にオーバフローを取付ることで安定し、便器上部周囲を全面板張りとすることができることを特徴とする自立型介護用水洗
便器。
【請求項２】
水洗洋式便器及び自立型介護用洋式便器は便器本体にオーバフローを取付たことにより、便器の詰まり状況が生じても、オーバフロー管により排水され、便器腰掛部分や床上に溢れる汚水を防ぐことができることを特徴
とする介護用水洗洋式便器。
【請求項３】
便器本体のオーバフロー管に接続されているＳトラップからの悪臭の発生防止を解決するため、手洗器のついていないものについては、Ｓトラップ内の交換水は、ロータンク内の補給水からオーバフロー通気管補給水を取入れる構造になっており、また手洗器のついている場合は排水される水をオーバフロー管に接続し、Ｓトラップ内の水が自然交換されることを特徴として
いる介護用水洗洋式便器。
【請求項４】
請求項１，２，３，ほかに水洗洋式便器をベッドの近くに接続して設置することにより、横つたいの体勢で移動して使用することができ介護
者が不在のときも安心して利用することもできる。
また、排水時手元にセンサー機能スイッチを取付ることにより、手元が不自由な人も自立で十分使用することができることを特徴としている介護用水洗洋
式便器。
【発明の詳細な説明】
【０００１】
【産業上の利用分野】この発明は水洗洋式便器及び自立型介護用水洗洋式便器に関するするものである。
【０００２】
【従来の技術及びその課題】従来の水洗洋式便器については、ロータンク用のオーバフローとして取付されているが、便器本体の詰まりを原因とする汚水の溢出及び悪臭防止が解決されていない問題点があった。
【０００３】
【課題を解決するための手段】本発明は、水洗洋式便器本体にオーバフロー用の排水口を設け、接続するオーバフロー管にＳトラップを取付けることで、悪臭の発生を防ぎ、また便器の座面より溢れる汚水をオーバフロー管より汚水管へ処理する構成により、課題を解決することができた。
【０００４】
【実施例】以下本発明の実施例を図面に基づいて説明する。
図１は介護用水洗便器の透視斜視図でありまた、図２は水洗洋式便器及び介護用水洗洋式便器の側面断面構成図、図３は便器にＳトラップを配管した側面断面図、図４はロータンクの上面構成図である。
【０００５】介護用便器８は、９便器ボックスに隠蔽され介護の現状により足関節が曲がらない人は床に直接備える図１Ｌ字型として設置することが出来、図２椅子型として高低も自由に設置できるものである。
【０００６】また従来のロータンクの構成は、給水ボールトアップ１９とロータンク内のオーバフロー防止による構成によって給水され、洗浄管口２３から便器へ排水されているが、便器本体のオーバフロー防止がされていないため、便器に詰まりを生じた場合便器から汚水が溢れ出、悪臭と共に課題があった。しかしながら図４ロータンク内から２２オーバフロー管兼通気管Ｓトラップ用補給水ホースを取付け排水口からＳトラップに通水し、６汚水管に接続する処理の構成により課題を解決することができた。
【０００７】またオーバフロー管兼通気管に図３　１７手洗器より排水された水は２２オーバフロー管に接続することにより５オーバフロー管Ｓトラップの悪臭発生を防ぎ排水循環を良好にすることができた。
【０００８】従って図１、図２、図３と図４のロータンク内にオーバフロー管兼通気管を新たに取付けることで、水洗洋式便器及び介護用水洗洋式便器として万全となりベッド側面を利用しても不都合を生じることがなくなった。また今後多数を設置する集合の建物等についても、安心して使用できる便器として課題を解決できた。
【０００９】
【発明の効果】本発明は水洗洋式便器及び居室等に設置される介護用水洗洋式便器であって、現在水洗洋式便器のように汚水が溢れる心配もなく、便器本体のオーバフロー管取付をもって便器内で抑えることができ、汚水の溢出による被害が防止され安心して使用することができる。また多数回の実験の結果、極めて安全で効果も大である。加えて取付けも安価であり且つ加工組立による工法のため工期も短縮でき既存トイレは１日で施行出来、経常的な維持管理費も伴わない。従って汚水の溢出防止ができることから、椅子型、又はＬ字型等の便座の取付けにより自立支援用としてまた、介護用としても充分に使用できることを特徴としている。
【００１０】
現状は体の移動に困難な人や立ち上がりが困難な人の部屋では、トイレとしてポータブルトイレを使用されているが本人自身が処理できないため、介護者がどうしても必要であったしかし、ベット横にトイレを設置することで高齢者や身体の不自由な人が手をかりずに自分自身で用便することが出来、処理することもできることを特徴としている。
【００１１】
本発明は、水洗洋式便器を使用しているため、本人が使用後リモコンによって洗浄処理ができるうえ、壁と便器の隙間がないために、誤って壁と便器の隙間に倒れる心配がなく、且つ掃除も容易なうえ清潔であり自立支援や介護人の安定安心と負担軽減を前提としたトイレであることを特徴としている。
【００１２】
本発明は、高齢社会の現状と障害者をはじめ足の不自由な人等のため必要不可欠の状況になっています。また今後高齢者や障害者の自立用住宅の建設が行われていることを考慮するとき、このトイレは便器の両サイドが板張りになっている等の便利さと、便器と壁との隙間がないため腰掛面が広くベッドからの移動も容易に出来ることを特徴としている。
【００１３】
本発明は、本体の骨組みは軽量アングルによって加工、組立とする工法で９＊２０のボルト、ナットによって便器とロータンクを所定の場所に取付、また便器足元はクッションフロアーとし、軽量アングルの外装は化粧板で隠蔽し万一の故障については、ロータンク上部の天蓋と前面板を取り外して補修できる構成を特徴としている。
【００１４】
本発明は、加工組立が容易であり既存のトイレも１日で施工ができること。またトイレ入り口の横壁を一部とりアコディオンカーテン等とすることでプライバシーも保護され、且つ、出入り口も広くなることで使用者の不便さを解消できることを特徴としている。
【図面の簡単な説明】
【図１】介護用水洗便器の透視斜視図である。
【図２】図１の側面断面構成図である。
【図３】水洗式洋式便器にＳトラップを配管した側面断面図である。
【図４】ロータンク内上面構成図である。
【符号の説明】
１　ロータンク・天蓋
２　洗浄ハンドル
３　ロータンク
４　洗浄管
５　便器用オーバフロー管Ｓトラップ
６　汚水管
７　ロータンク用オーバフロー管
８　水洗洋式便器
９　便器ボックス
１０肱掛け
１１便器折たたみ蓋
１２センサー
１３リモコン
１４床板
１５手洗器排水管
１６ベッド
１７手洗器
１８ロータンク用オーバフロー管
１９ボールトアップ
２０補給水管
２１便器オーバフロー通気管兼排水口
２２便器オーバフロー管兼通気管Ｓトラップ用補給水ホース
２３洗浄水口
２４ロータンク用補給水
２５オーバフロー通気管用補給水
２６リモコンコード
２７便器オーバフロー用Ｓトラップ補給水口
２８壁
【図１】
2004084443.tif 000003
【図２】
2004084443.tif 000004
【図３】
2004084443.tif 000005
【図４】
2004084443.tif 000006